(57)【要約】【課題】貯蔵タンク内でのＢＯＧ発生を抑えるとともに、低コスト化を図ること。【解決手段】ＬＮＧが貯蔵される貯蔵タンク２と、該貯蔵タンク２に接続された送出管部３に、貯蔵タンク２に貯蔵されたＬＮＧを送出する送出ポンプ９と、ＬＮＧを出荷する出荷手段に接続可能なＬＮＧ払出部７と、送出管部３を流通したＬＮＧが貯蔵されるとともに、内部に貯蔵されたＬＮＧがＬＮＧ払出部７に圧送される出荷用タンク８と、を備えているＬＮＧ処理設備１を提供する。【選択図】図１
2012167780.tif 000002
【特許請求の範囲】
【請求項１】
ＬＮＧが貯蔵される貯蔵タンクと、
該貯蔵タンクに接続された送出管部に、前記貯蔵タンクに貯蔵されたＬＮＧを送出する送出ポンプと、
ＬＮＧを出荷する出荷手段に接続可能なＬＮＧ払出部と、を備え、
前記貯蔵タンクに貯蔵されたＬＮＧを、前記送出管部を通して前記ＬＮＧ払出部に供給して前記出荷手段に払い出すＬＮＧ処理設備であって、
前記送出管部を流通したＬＮＧが貯蔵されるとともに、内部に貯蔵されたＬＮＧが前記ＬＮＧ払出部に圧送される出荷用タンクを備えていることを特徴とするＬＮＧ処理設備。
【請求項２】
請求項１記載のＬＮＧ処理設備であって、
前記送出ポンプは、前記出荷用タンクに貯蔵されたＬＮＧが圧送され、前記ＬＮＧ払出部を通して前記出荷手段に払い出されるときに、前記貯蔵タンクに貯蔵されたＬＮＧを、前記送出管部を通して前記出荷用タンクに供給することを特徴とするＬＮＧ処理設備。
【請求項３】
請求項１または２に記載のＬＮＧ処理設備であって、
ＬＮＧから都市ガスを製造する都市ガス製造部を備え、
前記送出管部には、前記都市ガス製造部に接続された第１分岐管部と、前記出荷用タンクに接続された第２分岐管部と、が各別に接続されていることを特徴とするＬＮＧ処理設備。
【請求項４】
請求項３記載のＬＮＧ処理設備であって、
前記都市ガス製造部は、前記第１分岐管部を流通したＬＮＧを気化させる気化装置と、前記気化装置により気化されたガスが流通するガス流通管部と、を備え、
前記出荷用タンクの気相部は、前記ガス流通管部に気相接続管部を介して接続され、
前記出荷用タンクの液相部は、開閉弁が設けられた液相接続管部を介して前記ＬＮＧ払出部に接続されていることを特徴とするＬＮＧ処理設備。
【請求項５】
ＬＮＧが貯蔵される貯蔵タンクと、
該貯蔵タンクに接続された送出管部に、前記貯蔵タンクに貯蔵されたＬＮＧを送出する送出ポンプと、
ＬＮＧを出荷する出荷手段に接続可能なＬＮＧ払出部と、
前記送出管部を流通したＬＮＧが貯蔵されるとともに、内部に貯蔵されたＬＮＧが前記ＬＮＧ払出部に圧送される出荷用タンクと、を備えるＬＮＧ処理設備において、前記貯蔵タンクに貯蔵されたＬＮＧを、前記送出管部を通して前記ＬＮＧ払出部に供給して前記出荷手段に払い出すＬＮＧ処理設備の運用方法であって、
前記送出ポンプを作動させ、前記貯蔵タンクに貯蔵されたＬＮＧを、前記送出管部を通して前記出荷用タンクに供給して貯蔵する貯蔵工程と、
前記出荷用タンクに貯蔵されたＬＮＧを圧送し、前記ＬＮＧ払出部を通して前記出荷手段に払い出す払出工程と、を有していることを特徴とするＬＮＧ処理設備の運用方法。
【請求項６】
請求項５記載のＬＮＧ処理設備の運用方法であって、
前記払出工程は、前記出荷用タンクに貯蔵されたＬＮＧを圧送し、前記ＬＮＧ払出部を通して前記出荷手段に払い出しながら、前記貯蔵タンクに貯蔵されたＬＮＧを、前記送出管部を通して前記出荷用タンクに供給することを特徴とするＬＮＧ処理設備の運用方法。
【請求項７】
請求項５または６に記載のＬＮＧ処理設備の運用方法であって、
前記貯蔵工程は、前記送出管部に送出されたＬＮＧにより該送出管部を冷却することを特徴とするＬＮＧ処理設備の運用方法。
【請求項８】
請求項５から６のいずれか１項に記載のＬＮＧ処理設備の運用方法であって、
前記ＬＮＧ処理設備は、ＬＮＧから都市ガスを製造する都市ガス製造部を備え、
前記送出管部には、前記都市ガス製造部に接続された第１分岐管部と、前記出荷用タンクに接続された第２分岐管部と、が各別に接続され、
前記貯蔵工程は、前記貯蔵タンクに貯蔵されたＬＮＧを前記送出管部および前記第１分岐管部を通して前記都市ガス製造部に供給する分の能力を、前記送出ポンプの送出能力から差し引いた前記送出ポンプの余剰能力を利用して、前記出荷用タンクにＬＮＧを供給することを特徴とするＬＮＧ処理設備の運用方法。
【発明の詳細な説明】
【技術分野】
【０００１】
本発明は、ＬＮＧ処理設備およびＬＮＧ処理設備の運用方法に関する。
【背景技術】
【０００２】
従来から、タンク内のＬＮＧを移送して処理するＬＮＧ処理設備として、例えば下記特許文献１に示されるような構成が知られているが、このようなＬＮＧ処理設備の１つに、（１）ＬＮＧから都市ガスを製造して所定地域に随時、供給するととともに、（２）間欠的に到着するＬＮＧ出荷用のローリーにＬＮＧを払い出して出荷するＬＮＧ基地がある。
【０００３】
図５に示すように、この種のＬＮＧ基地１０１は、基地１０１に受け入れられたＬＮＧが貯蔵される貯蔵タンク１０２と、貯蔵タンク１０２からＬＮＧが送出される送出管部１０３と、送出管部１０３の下流端から分岐された複数の分岐管部１０４ａ、１０４ｂと、複数の分岐管部１０４ａ、１０４ｂのうちの第１分岐管部１０４ａを流通したＬＮＧから都市ガスを製造する都市ガス製造部１０５と、都市ガス製造部１０５により製造された都市ガスが貯蔵されるガスホルダ１０６と、複数の分岐管部１０４ａ、１０４ｂのうちの第２分岐管部１０４ｂを流通したＬＮＧが供給されるとともに、ＬＮＧを出荷するローリー１０７に接続可能なＬＮＧ払出部１０８と、貯蔵タンク１０２の液相部内に配設され、貯蔵タンク１０２内のＬＮＧを昇圧して送出管部１０３に送出する送出ポンプ１０９と、第１分岐管部１０４ａおよび第２分岐管部１０４ｂそれぞれを流通するＬＮＧを貯蔵タンク１０２に送り返す返送管部１１０と、を備えている。
【０００４】
このＬＮＧ基地１０１では、（１）所定地域への都市ガスの供給は、ガスホルダ１０６内の都市ガスを所定地域に圧送することで行う。その後、使用された分の都市ガスをガスホルダ１０６に補充するために、貯蔵タンク１０２から都市ガス製造部１０５にＬＮＧを供給し、都市ガスを製造する。
一方、（２）ＬＮＧ基地１０１からのローリー１０７によるＬＮＧの出荷は、貯蔵タンク１０２からＬＮＧ払出部１０８にＬＮＧを供給し、ＬＮＧ払出部１０８に接続されたローリー１０７にＬＮＧを払い出すことで行う。
【０００５】
ところで前述のように、貯蔵タンク１０２からＬＮＧを都市ガス製造部１０５やＬＮＧ払出部１０８に供給するためには、貯蔵タンク１０２内のＬＮＧを送出ポンプ１０９により送出管部１０３に送出する必要があるが、貯蔵タンク１０２から送出管部１０３へのＬＮＧの送出量のピークは、ＬＮＧ出荷時になり易い。したがって、送出ポンプ１０９の送出能力は、ＬＮＧ出荷時に、貯蔵タンク１０２から送出管部１０３に送出すべきＬＮＧの送出量に基づいて設定される。
【先行技術文献】
【特許文献】
【０００６】
【特許文献１】特開２００４−２１１７４７号公報
【発明の概要】
【発明が解決しようとする課題】
【０００７】
しかしながら、前記従来のＬＮＧ基地１０１では、ローリー１０７によるＬＮＧ出荷時以外の時間帯では、送出ポンプ１０９の送出能力が過剰となり、送出ポンプ１０９が余剰能力を有することとなる。そのため、例えば送出ポンプ１０９の初期コストやランニングコスト等のコストがかかるという問題がある。
【０００８】
また、前記従来のＬＮＧ基地１０１では、以下に示す理由により貯蔵タンク１０２内でＢＯＧが発生し易いという問題もある。
すなわち、ＬＮＧ基地１０１では一般に、貯蔵タンク１０２内のＬＮＧを送出管部１０３に流通させ、送出管部１０３を冷却している。これにより、送出管部１０３を流通するＬＮＧが、送出管部１０３を介して伝わる外部からの熱により送出管部１０３内で気化するのが抑制されることとなる。
ここで、前記従来のＬＮＧ基地１０１では、ガスホルダ１０６への都市ガスの補充およびローリー１０７へのＬＮＧの払出しのうち、少なくとも一方がなされているときには、前述のように送出管部１０３に貯蔵タンク１０２内のＬＮＧが流通することとなる。
これに対して、前述の補充および払出しの両方がなされていない場合には、送出管部１０３に貯蔵タンク１０２内のＬＮＧを流通させた後、返送管部１１０を通して貯蔵タンク１０２内にＬＮＧを送り返している。ここで、貯蔵タンク１０２内に送り返されたＬＮＧは、送出管部１０３を冷却することで昇温させられているため、貯蔵タンク１０２内でＢＯＧ発生の熱源となる。
【０００９】
本発明は、前述した事情に鑑みてなされたものであって、その目的は、貯蔵タンク内でのＢＯＧ発生を抑えるとともに、低コスト化を図ることができるＬＮＧ処理設備およびＬＮＧ処理設備の運用方法を提供することである。
【課題を解決するための手段】
【００１０】
前記課題を解決するために、本発明は以下の手段を提案している。
本願の請求項１に係るＬＮＧ処理設備は、ＬＮＧが貯蔵される貯蔵タンクと、該貯蔵タンクに接続された送出管部に、前記貯蔵タンクに貯蔵されたＬＮＧを送出する送出ポンプと、ＬＮＧを出荷する出荷手段に接続可能なＬＮＧ払出部と、を備え、前記貯蔵タンクに貯蔵されたＬＮＧを、前記送出管部を通して前記ＬＮＧ払出部に供給して前記出荷手段に払い出すＬＮＧ処理設備であって、前記送出管部を流通したＬＮＧが貯蔵されるとともに、内部に貯蔵されたＬＮＧが前記ＬＮＧ払出部に圧送される出荷用タンクを備えていることを特徴とする。
【００１１】
この発明によれば、前記出荷用タンクが備えられているので、ＬＮＧ出荷時以外の時間帯に、送出ポンプを作動させ、貯蔵タンクに貯蔵されたＬＮＧを、送出管部を通して出荷用タンクに供給して貯蔵しておくことができる。
したがって、ＬＮＧ出荷時に、出荷用タンクに貯蔵されたＬＮＧを圧送し、ＬＮＧ払出部を通して出荷手段に払い出すことで、貯蔵タンクから出荷手段に払い出す必要があるＬＮＧの量を低減させることができる。これにより、ＬＮＧ出荷時に送出ポンプにより送出管部に送出する必要があるＬＮＧの量を低減させることが可能になり、送出能力が低く抑えられた送出ポンプを採用することができる。
【００１２】
またこのように、送出能力が低く抑えられた送出ポンプを採用することができるので、この送出ポンプが作動することにより生じる熱を抑えることが可能になり、例えば送出ポンプが、貯蔵タンクの液相部内に配設された場合であっても、送出ポンプから貯蔵タンク内のＬＮＧに伝わる熱を低減することができる。
【００１３】
また、前記出荷用タンクが備えられているので、貯蔵タンクに貯蔵されたＬＮＧを、送出管部を通して出荷用タンクに供給して貯蔵する際に、送出管部に送出されたＬＮＧにより該送出管部を冷却することで、出荷手段へのＬＮＧの払出しがなされていないときにも、ＬＮＧを貯蔵タンクに戻さずに送出管部を冷却することができる。
【００１４】
また、本願の請求項２に係るＬＮＧ処理設備は、前記送出ポンプは、前記出荷用タンクに貯蔵されたＬＮＧが圧送され、前記ＬＮＧ払出部を通して前記出荷手段に払い出されるときに、前記貯蔵タンクに貯蔵されたＬＮＧを、前記送出管部を通して前記出荷用タンクに供給することを特徴とする。
【００１５】
この場合、出荷用タンクに貯蔵されたＬＮＧが圧送され、ＬＮＧ払出部を通して出荷手段に払い出されるときに、送出ポンプが、貯蔵タンクに貯蔵されたＬＮＧを、送出管部を通して出荷用タンクに供給するので、ＬＮＧ出荷時までに出荷用タンクに貯蔵されたＬＮＧだけでなく、ＬＮＧ出荷開始時に貯蔵タンクに貯蔵されたＬＮＧも出荷手段に払い出すことができる。したがって、ＬＮＧ出荷時までに出荷用タンクに貯蔵しておくべきＬＮＧの量を減らすことが可能になり、出荷用タンクの容量を小さくすることができる。
【００１６】
また、本願の請求項３に係るＬＮＧ処理設備は、ＬＮＧから都市ガスを製造する都市ガス製造部を備え、前記送出管部には、前記都市ガス製造部に接続された第１分岐管部と、前記出荷用タンクに接続された第２分岐管部と、が各別に接続されていることを特徴とする。
【００１７】
この場合、都市ガス製造部およびＬＮＧ払出部のいずれにＬＮＧを供給する場合であっても、共通で兼用された送出ポンプおよび送出管部を用いることができるので、都市ガス製造部およびＬＮＧ払出部に各別に専用のポンプを設ける場合に比べて、ポンプ台数および配管系統の増加を抑えることが可能になり、例えば設備製造コストやメンテナンスコスト等を低減させ更なる低コスト化を図ることができる。
【００１８】
また、出荷用タンクにＬＮＧを貯蔵する際に、貯蔵タンクに貯蔵されたＬＮＧを送出管部および第１分岐管部を通して都市ガス製造部に供給する分の能力を、送出ポンプの送出能力から差し引いた送出ポンプの余剰能力を利用して、出荷用タンクにＬＮＧを供給することで、出荷用タンクにＬＮＧを貯蔵するためだけに、送出ポンプの送出能力を大きく高める必要がなく、送出能力が低く抑えられた送出ポンプにより前述の作用を確実に奏功させることができる。
【００１９】
また、本願の請求項４に係るＬＮＧ処理設備は、前記都市ガス製造部は、前記第１分岐管部を流通したＬＮＧを気化させる気化装置と、前記気化装置により気化されたガスが流通するガス流通管部と、を備え、前記出荷用タンクの気相部は、前記ガス流通管部に気相接続管部を介して接続され、前記出荷用タンクの液相部は、開閉弁が設けられた液相接続管部を介して前記ＬＮＧ払出部に接続されていることを特徴とする。
【００２０】
この場合、出荷用タンクの気相部が、ガス流通管部に気相接続管部を介して接続されているので、貯蔵タンク内に貯蔵されたＬＮＧが出荷用タンクに供給されたときには、出荷用タンクの気相部のガスが気相接続管部を通してガス流通管部に送出されることとなり、出荷用タンク内の圧力の上昇を抑えることができる。
また、出荷用タンクに貯蔵されたＬＮＧをＬＮＧ払出部に圧送する際には、液相接続管部の開閉弁を開放することで、ガス流通管部内のガスが、出荷用タンクの気相部に流入することにより、出荷用タンク内のＬＮＧが加圧され、液相接続管部を通してＬＮＧ払出部に圧送されることとなる。
以上のように、単に、出荷用タンクの気相部を、気相接続管部を介してガス流通管部に接続するだけの簡素な構成で、出荷用タンク内とガス流通管部内との圧力をバランスさせ、出荷用タンク内の圧力が上昇するのを抑えるとともに、出荷用タンクに貯蔵されたＬＮＧをＬＮＧ払出部に圧送することができる。
【００２１】
また、本願の請求項５に係るＬＮＧ処理設備の運用方法は、ＬＮＧが貯蔵される貯蔵タンクと、該貯蔵タンクに接続された送出管部に、前記貯蔵タンクに貯蔵されたＬＮＧを送出する送出ポンプと、ＬＮＧを出荷する出荷手段に接続可能なＬＮＧ払出部と、前記送出管部を流通したＬＮＧが貯蔵されるとともに、内部に貯蔵されたＬＮＧが前記ＬＮＧ払出部に圧送される出荷用タンクと、を備えるＬＮＧ処理設備において、前記貯蔵タンクに貯蔵されたＬＮＧを、前記送出管部を通して前記ＬＮＧ払出部に供給して前記出荷手段に払い出すＬＮＧ処理設備の運用方法であって、前記送出ポンプを作動させ、前記貯蔵タンクに貯蔵されたＬＮＧを、前記送出管部を通して前記出荷用タンクに供給して貯蔵する貯蔵工程と、前記出荷用タンクに貯蔵されたＬＮＧを圧送し、前記ＬＮＧ払出部を通して前記出荷手段に払い出す払出工程と、を有していることを特徴とする。
【００２２】
この発明によれば、前記貯蔵工程を有しているので、前記払出工程の前に、送出ポンプを作動させ、貯蔵タンクに貯蔵されたＬＮＧを、送出管部を通して出荷用タンクに供給して貯蔵しておくことができる。
したがって、前記払出工程の際に、出荷用タンクに貯蔵されたＬＮＧを圧送し、ＬＮＧ払出部を通して出荷手段に払い出すことで、貯蔵タンクから出荷手段に払い出す必要があるＬＮＧの量を低減させることができる。これにより、払出工程の際に、送出ポンプにより送出管部に送出する必要があるＬＮＧの量を低減させることが可能になり、送出能力が低く抑えられた送出ポンプを採用することができる。
【００２３】
またこのように、送出能力が低く抑えられた送出ポンプを採用することができるので、この送出ポンプが作動することにより生じる熱を抑えることが可能になり、例えば送出ポンプが、貯蔵タンクの液相部内に配設された場合であっても、送出ポンプから貯蔵タンク内のＬＮＧに伝わる熱を低減することができる。
【００２４】
また、本願の請求項６に係るＬＮＧ処理設備の運用方法は、前記払出工程は、前記出荷用タンクに貯蔵されたＬＮＧを圧送し、前記ＬＮＧ払出部を通して前記出荷手段に払い出しながら、前記貯蔵タンクに貯蔵されたＬＮＧを、前記送出管部を通して前記出荷用タンクに供給することを特徴とする。
【００２５】
この場合、前記払出工程の際に、出荷用タンクに貯蔵されたＬＮＧを、ＬＮＧ払出部を通して出荷手段に払い出しながら、貯蔵タンクに貯蔵されたＬＮＧを、送出管部を通して出荷用タンクに供給するので、払出工程までに出荷用タンクに貯蔵されたＬＮＧだけでなく、払出工程開始時に貯蔵タンクに貯蔵されていたＬＮＧも、出荷用タンクを介して出荷手段に払い出すことができる。したがって、払出工程までに出荷用タンクに貯蔵しておくべきＬＮＧの量を減らすことが可能になり、出荷用タンクの容量を小さくすることができる。
【００２６】
また、本願の請求項７に係るＬＮＧ処理設備の運用方法は、前記貯蔵工程は、前記送出管部に送出されたＬＮＧにより該送出管部を冷却することを特徴とする。
【００２７】
この場合、貯蔵工程の際に、送出管部に送出されたＬＮＧにより該送出管部を冷却するので、出荷手段へのＬＮＧの払出しがなされていないときにも、ＬＮＧを貯蔵タンクに戻さずに送出管部を冷却することができる。
【００２８】
また、本願の請求項８に係るＬＮＧ処理設備の運用方法は、前記ＬＮＧ処理設備は、ＬＮＧから都市ガスを製造する都市ガス製造部を備え、前記送出管部には、前記都市ガス製造部に接続された第１分岐管部と、前記出荷用タンクに接続された第２分岐管部と、が各別に接続され、前記貯蔵工程は、前記貯蔵タンクに貯蔵されたＬＮＧを前記送出管部および前記第１分岐管部を通して前記都市ガス製造部に供給する分の能力を、前記送出ポンプの送出能力から差し引いた前記送出ポンプの余剰能力を利用して、前記出荷用タンクにＬＮＧを供給することを特徴とする。
【００２９】
この場合、都市ガス製造部およびＬＮＧ払出部のいずれにＬＮＧを供給する場合であっても、共通で兼用された送出ポンプおよび送出管部を用いることができるので、都市ガス製造部およびＬＮＧ払出部に各別に専用のポンプを設ける場合に比べて、ポンプ台数および配管系統の増加を抑えることが可能になり、例えば設備製造コストやメンテナンスコスト等を低減させ更なる低コスト化を図ることができる。
また貯蔵工程の際に、貯蔵タンクに貯蔵されたＬＮＧを送出管部および第１分岐管部を通して都市ガス製造部にＬＮＧを供給する分の能力を、送出ポンプの送出能力から差し引いた送出ポンプの余剰能力を利用して、出荷用タンクにＬＮＧを供給することで、出荷用タンクにＬＮＧを貯蔵するためだけに、送出ポンプの送出能力を大きく高める必要がなく、送出能力が低く抑えられた送出ポンプにより前述の作用を確実に奏功させることができる。
【発明の効果】
【００３０】
本願の請求項１に係るＬＮＧ処理設備によれば、送出能力が低く抑えられた送出ポンプを採用することができるので、例えば送出ポンプのランニングコストや送出ポンプに要する初期コストを抑える等することで、低コスト化を図ることができる。
また送出ポンプが、貯蔵タンクの液相部内に配設された場合であっても、送出ポンプから貯蔵タンク内のＬＮＧに伝わる熱を低減することができるので、貯蔵タンク内でのＢＯＧの発生を抑制することができる。
さらに、出荷手段へのＬＮＧの払出しがなされていないときにも、ＬＮＧを貯蔵タンクに戻さずに送出管部を冷却することができるので、貯蔵タンク内でのＢＯＧの発生を確実に抑制することができる。
【００３１】
また、本願の請求項２に係るＬＮＧ処理設備によれば、出荷用タンクの容量を小さくすることができるので、一層の低コスト化を図ることができる。
また、本願の請求項３に係るＬＮＧ処理設備によれば、都市ガス製造部を備える構成であっても前述の作用効果を確実に奏功させることができる。
また、本願の請求項４に係るＬＮＧ処理設備によれば、例えば、出荷用タンク内の圧力の上昇を抑えるＢＯＧ処理装置や、出荷用タンク内の圧力を上昇させる加圧蒸発器などを不要とし、更なる低コスト化を図ることができる。
【００３２】
また、本願の請求項５に係るＬＮＧ処理設備の運用方法によれば、送出能力が低く抑えられた送出ポンプを採用することができるので、例えば送出ポンプのランニングコストや送出ポンプに要する初期コストを抑える等することで、低コスト化を図ることができる。
また送出ポンプが、貯蔵タンクの液相部内に配設された場合であっても、送出ポンプから貯蔵タンク内のＬＮＧに伝わる熱を低減することができるので、貯蔵タンク内でのＢＯＧの発生を抑制することができる。
【００３３】
また、本願の請求項６に係るＬＮＧ処理設備の運用方法によれば、出荷用タンクの容量を小さくすることができるので、一層の低コスト化を図ることができる。
また、本願の請求項７に係るＬＮＧ処理設備の運用方法によれば、出荷手段へのＬＮＧの払出しがなされていないときにも、ＬＮＧを貯蔵タンクに戻さずに送出管部を冷却することができるので、貯蔵タンク内でのＢＯＧの発生を抑制することができる。
また、本願の請求項８に係るＬＮＧ処理設備の運用方法によれば、ＬＮＧ処理設備が都市ガス製造部を備える構成であっても前述の作用効果を確実に奏功させることができる。
【図面の簡単な説明】
【００３４】
【図１】本発明の一実施形態に係るＬＮＧ基地の概略図である。
【図２】図１に示すＬＮＧ基地の運用方法の実施例の結果を示すグラフである。
【図３】図１に示すＬＮＧ基地の運用方法の実施例の結果を示すグラフである。
【図４】図１に示すＬＮＧ基地の運用方法の実施例の結果を示すグラフである。
【図５】従来のＬＮＧ基地の概略図である。
【発明を実施するための形態】
【００３５】
以下、図面を参照し、本発明の一実施形態に係るＬＮＧ基地を説明する。
図１に示すように、ＬＮＧ基地（ＬＮＧ処理設備）１は、ＬＮＧが貯蔵される貯蔵タンク２と、貯蔵タンク２に接続され貯蔵タンク２からＬＮＧが送出される送出管部３と、送出管部３の下流端から分岐された複数の分岐管部４ａ、４ｂと、複数の分岐管部４ａ、４ｂのうちの第１分岐管部４ａを流通したＬＮＧから都市ガスを製造する都市ガス製造部５と、都市ガス製造部５により製造された都市ガスが貯蔵されるガスホルダ６と、複数の分岐管部４ａ、４ｂのうちの第２分岐管部４ｂを流通したＬＮＧが供給されるＬＮＧ払出部７と、上流側に第２分岐管部４ｂが接続されるとともに下流側にＬＮＧ払出部７が接続され、送出管部３を流通したＬＮＧが貯蔵される出荷用タンク８と、貯蔵タンク２内のＬＮＧを昇圧して送出管部３に送出する送出ポンプ９と、複数の分岐管部４ａ、４ｂを流通するＬＮＧの各流量を調整する流量調整部１０と、を備えている。
このＬＮＧ基地１は、貯蔵タンク２に貯蔵されたＬＮＧを、送出管部３を通してＬＮＧ払出部７に供給してローリー１８に払い出すとともに、ＬＮＧから都市ガスを製造して所定地域に供給する。
【００３６】
貯蔵タンク２には、この貯蔵タンク２内で発生したＢＯＧを処理する図示しないＢＯＧ処理装置が設けられている。このＢＯＧ処理装置では、例えば、ＢＯＧを昇圧した後、前記都市ガス製造部５で製造された都市ガスに合流させて処理したり、ＢＯＧを昇圧した後、再液化させ貯蔵タンク２内に戻したりすることで、ＢＯＧを処理する。
【００３７】
送出ポンプ９は、貯蔵タンク２の液相部内に配設されている。
分岐管部４ａ、４ｂは２つ設けられており、一方が第１分岐管部４ａとされ、他方が第２分岐管部４ｂとなっている。なお第２分岐管部４ｂは、出荷用タンク８の気相部８ａに接続されていても、液相部８ｂに接続されていても良い。
流量調整部１０は、第１分岐管部４ａに設けられた第１流量調整弁１１と、第２分岐管部４ｂに設けられた第２流量調整弁１２と、を備えている。
【００３８】
都市ガス製造部５は、第１分岐管部４ａを流通したＬＮＧを気化させる気化装置１３と、気化装置１３とガスホルダ６とを接続するとともに、気化装置１３により気化されたガスが流通するガス流通管部１４と、を備えている。なおこの都市ガス製造部５は、ＬＮＧから都市ガスを製造する構成であれば良く、例えば、図示しないＬＰＧ熱量調整ミキサーや付臭装置などを更に備えていても良い。
【００３９】
ガスホルダ６内の都市ガスは、所定地域に圧送される。このとき、ガスホルダ６内の圧力を利用して都市ガスを圧送するため、ガスホルダ６内の圧力は、所定圧力（例えば、０．４ＭＰａ）以上に維持されている。
【００４０】
出荷用タンク８は、内部にＬＮＧが貯蔵可能とされるとともに、内部に貯蔵されたＬＮＧがＬＮＧ払出部７に圧送される。本実施形態では、出荷用タンク８の気相部８ａは、ガス流通管部１４に気相接続管部１５を介して接続されている。また出荷用タンク８の液相部８ｂは、第３流量調整弁（開閉弁）１６が設けられた液相接続管部１７を介してＬＮＧ払出部７に接続されている。
ＬＮＧ払出部７には、ＬＮＧを出荷するローリー（出荷手段）１８が接続可能となっている。
【００４１】
次に、以上のように構成されたＬＮＧ基地１の運用方法について説明する。
はじめに、ＬＮＧ出荷時以外の時間帯における運用方法について説明する。なおこのとき、液相接続管部１７は、第３流量調整弁１６により閉じられている。
【００４２】
まず、ガスホルダ６に都市ガスを補充する必要がある場合には、送出ポンプ９を作動させ、貯蔵タンク２に貯蔵されたＬＮＧを、送出管部３および第１分岐管部４ａを通して都市ガス製造部５に供給し、都市ガスを製造した後ガスホルダ６に補充する補充工程を行う。このとき、ガス流通管部１４を流通するガスは、気相接続管部１５に殆ど流入することなくガスホルダ６に供給される。
【００４３】
また、この補充工程と並行して、貯蔵タンク２に貯蔵されたＬＮＧを、送出管部３および第２分岐管部４ｂを通して出荷用タンク８に供給して貯蔵する貯蔵工程を行う。
このとき本実施形態では、送出ポンプ９および流量調整部１０を制御して、貯蔵タンク２に貯蔵されたＬＮＧを送出管部３および第１分岐管部４ａを通して都市ガス製造部５に供給する分の能力を、送出ポンプ９の送出能力から差し引いた送出ポンプ９の余剰能力を利用して、出荷用タンク８にＬＮＧを供給する。なおこのとき、出荷用タンク８の気相部８ａのガス（例えば、ＢＯＧ等）が気相接続管部１５を通してガス流通管部１４に送出されることとなり、出荷用タンク８内の圧力の上昇が抑えられる。
【００４４】
一方、ガスホルダ６に都市ガスを補充する必要がなく、前記補充工程を行わない場合には、貯蔵タンク２から都市ガス製造部５にＬＮＧを供給する必要がないので、送出ポンプ９の送出能力をそのまま送出ポンプ９の余剰能力として利用し、出荷用タンク８にＬＮＧを供給することができる。
ＬＮＧ出荷時以外の時間帯では、以上のような運用を行う。なお前記貯蔵工程の際、送出管部３は、送出管部３に送出されたＬＮＧにより冷却されることとなる。
【００４５】
次に、ＬＮＧ出荷時における運用方法について説明する。
この場合、出荷用タンク８に貯蔵されたＬＮＧを圧送し、ＬＮＧ払出部７を通してローリー１８に払い出す払出工程を行う。このとき本実施形態では、液相接続管部１７の第３流量調整弁１６を開放することで、ガス流通管部１４内の製造ガスが、出荷用タンク８の気相部８ａに流入することにより、出荷用タンク８内のＬＮＧが加圧され、液相接続管部１７を通してＬＮＧ払出部７に圧送されることとなる。
【００４６】
さらにこのとき、本実施形態では、前述のように出荷用タンク８に貯蔵されたＬＮＧを圧送し、ＬＮＧ払出部７を通してローリー１８に払い出しながら、送出ポンプ９および流量調整部１０を制御して、貯蔵タンク２に貯蔵されたＬＮＧを、送出管部３および第２分岐管部４ｂを通して出荷用タンク８に供給し、出荷用タンク８を介してローリー１８に払い出す。なおこのとき、貯蔵タンク２に貯蔵されたＬＮＧを、ローリー１８に払い出しながら都市ガス製造部５に供給しても良い。
ＬＮＧ出荷時には、以上のような運用を行う。
【００４７】
以上説明したように、本実施形態に係るＬＮＧ基地１およびＬＮＧ基地１の運用方法によれば、前記出荷用タンク８が備えられているので、ＬＮＧ出荷時以外の時間帯に、送出ポンプ９を作動させ、貯蔵タンク２に貯蔵されたＬＮＧを、送出管部３および第２分岐管部４ｂを通して出荷用タンク８に供給して貯蔵しておくことができる。
したがって、ＬＮＧ出荷時に、出荷用タンク８に貯蔵されたＬＮＧを圧送し、ＬＮＧ払出部７を通してローリー１８に払い出すことで、貯蔵タンク２からローリー１８に払い出す必要があるＬＮＧの量を低減させることができる。これにより、ＬＮＧ出荷時に送出ポンプ９により送出管部３に送出する必要があるＬＮＧの量を低減させることが可能になり、送出能力が低く抑えられた送出ポンプ９を採用することができる。
【００４８】
また、出荷用タンク８にＬＮＧを貯蔵する際に、貯蔵タンク２に貯蔵されたＬＮＧを送出管部３および第１分岐管部４ａを通して都市ガス製造部５に供給する分の能力を、送出ポンプ９の送出能力から差し引いた送出ポンプ９の余剰能力を利用して、出荷用タンク８にＬＮＧを供給することで、出荷用タンク８にＬＮＧを貯蔵するためだけに、送出ポンプ９の送出能力を大きく高める必要がなく、送出能力が低く抑えられた送出ポンプ９により前述の作用を確実に奏功させることができる。
このように、送出能力が低く抑えられた送出ポンプ９を採用することができるので、例えば送出ポンプ９のランニングコストや送出ポンプ９に要する初期コストを抑える等することで、低コスト化を図ることができる。
【００４９】
またこのように、送出能力が低く抑えられた送出ポンプ９を採用することができるので、この送出ポンプ９が作動することにより生じる熱を低減することが可能になり、例えば本実施形態のように、送出ポンプ９が、貯蔵タンク２の液相部８ｂ内に配設された場合であっても、送出ポンプ９から貯蔵タンク２内のＬＮＧに伝わる熱を低減することができる。これにより、貯蔵タンク２内でのＢＯＧの発生を抑制することができる。
【００５０】
また、前記出荷用タンク８が備えられているので、貯蔵タンク２に貯蔵されたＬＮＧを、送出管部３を通して出荷用タンク８に供給して貯蔵する際に、送出管部３に送出されたＬＮＧにより該送出管部３を冷却することで、ローリー１８へのＬＮＧの払出しがなされていないときにも、ＬＮＧを貯蔵タンク２に戻さずに送出管部３を冷却することができる。これにより、貯蔵タンク２内でのＢＯＧの発生を確実に抑制することができる。
【００５１】
また、単に、出荷用タンク８の気相部８ａを、気相接続管部１５を介してガス流通管部１４と接続するだけの簡素な構成で、出荷用タンク８内とガス流通管部１４内との圧力をバランスさせ、出荷用タンク８内の圧力が上昇するのを抑えるとともに、出荷用タンク８に貯蔵されたＬＮＧをＬＮＧ払出部７に圧送することができる。したがって、例えば、出荷用タンク８内の圧力の上昇を抑えるＢＯＧ処理装置や、出荷用タンク８内の圧力を上昇させる加圧蒸発器などを不要とし、更なる低コスト化を図ることができる。
【００５２】
また、出荷用タンク８に貯蔵されたＬＮＧが圧送され、ＬＮＧ払出部７を通してローリー１８に払い出されるときに、送出ポンプ９が、貯蔵タンク２に貯蔵されたＬＮＧを、送出管部３を通して出荷用タンク８に供給するので、ＬＮＧ出荷時までに出荷用タンク８に貯蔵されたＬＮＧだけでなく、ＬＮＧ出荷開始時に貯蔵タンク２に貯蔵されたＬＮＧもローリー１８に払い出すことができる。したがって、ＬＮＧ出荷時までに出荷用タンク８に貯蔵しておくべきＬＮＧの量を減らすことが可能になり、出荷用タンク８の容量を小さくすることができる。これにより、一層の低コスト化を図ることができる。
【００５３】
また、都市ガス製造部５およびＬＮＧ払出部７のいずれにＬＮＧを供給する場合であっても、共通で兼用された送出ポンプ９および送出管部３を用いることができるので、都市ガス製造部５およびＬＮＧ払出部７に各別に専用のポンプを設ける場合に比べて、ポンプ台数および配管系統の増加を抑えることが可能になり、例えば基地製造コストやメンテナンスコスト等を低減させ更なる低コスト化を図ることができる。
【００５４】
なお、本発明の技術的範囲は前記実施形態に限定されるものではなく、本発明の趣旨を逸脱しない範囲において種々の変更を加えることが可能である。
例えば、前記実施形態では、ＬＮＧ払出部７は１つ設けられているものとしたが、複数あっても良い。
【００５５】
また前記実施形態では、分岐管部４ａ、４ｂは２つ設けられているものとしたが、３つ以上設けられていても良い。つまり、分岐管部４ａ、４ｂとして、第１分岐管部４ａおよび第２分岐管部４ｂが少なくとも１つずつ設けられていれば良く、この場合、例えば、第２分岐管部４ｂが複数設けられていても良い。
なおこのように、第２分岐管部４ｂが複数設けられている場合、複数の第２分岐管部４ｂのうち、少なくとも１つに出荷用タンク８が接続されていれば良く、例えば、出荷用タンク８が、第２分岐管部４ｂと対応して複数設けられ、各第２分岐管部４ｂに接続されていても良い。
さらにこのように、第２分岐管部４ｂが複数設けられている場合、ＬＮＧ払出部７が、第２分岐管部４ｂと対応して複数設けられ、各第２分岐管部４ｂを流通したＬＮＧが、互いに異なるＬＮＧ払出部７に供給されても良い。
【００５６】
また前記実施形態では、気相接続管部１５は、出荷用タンク８の気相部８ａとガス流通管部１４とを接続するものとしたが、これに限られるものではなく、出荷用タンク８の気相部８ａと、ガス流通管部１４およびガスホルダ６のうち、少なくとも一方と、を接続していても良い。
さらに気相接続管部１５はなくても良く、例えば、出荷用タンク８に前記ＢＯＧ処理装置や前記加圧蒸発器等を設けることも可能である。
【００５７】
また前記実施形態では、払出工程の際、出荷用タンク８に貯蔵されたＬＮＧをローリー１８に払い出しながら、貯蔵タンク２に貯蔵されたＬＮＧを出荷用タンク８に供給するものとしたが、このとき、貯蔵タンク２に貯蔵されたＬＮＧを出荷用タンク８に供給しなくても良い。
【００５８】
また前記実施形態では、送出ポンプ９は、貯蔵タンク２の液相部内に配設されているものとしたが、これに限られるものではなく、例えば貯蔵タンク２の外部に配設されていても良い。
さらに前記実施形態では、ガスホルダ６が備えられているものとしたが、ガスホルダ６はなくても良い。
【００５９】
また前記実施形態では、都市ガス製造部５およびＬＮＧ払出部７のいずれにＬＮＧを供給する場合であっても、共通で兼用された送出ポンプ９および送出管部３を用いることができるものとしたが、これに限られるものではない。例えば、貯蔵タンク２から都市ガス製造部５にＬＮＧを送出するポンプと、貯蔵タンク２からＬＮＧ払出部７にＬＮＧを送出するポンプ（送出ポンプ）と、が異なっていて、それぞれ専用のポンプとして設けられていても良い。
【００６０】
さらに前記実施形態では、都市ガス製造部５が備えられているものとしたが、例えば、ＬＮＧから都市ガスを製造する必要がない場合などには、都市ガス製造部５はなくても良い。この場合、分岐管部４ａ、４ｂはなくても良く、送出管部３が出荷用タンク８に直接、接続されていても良い。
【００６１】
その他、本発明の趣旨に逸脱しない範囲で、前記実施形態における構成要素を周知の構成要素に置き換えることは適宜可能であり、また、前記した変形例を適宜組み合わせてもよい。
【実施例】
【００６２】
次に、前記実施形態で示したＬＮＧ基地１の運用方法の一実施例について説明する。
はじめに、本実施例における運用条件を、表１および図２に基づいて説明する。なお図２に示すグラフでは、横軸が時間を示し、縦軸が各需要量（ｔ）を示している。
【表１】
2012167780.tif 000003
【００６３】
本実施例では、ＬＮＧ基地１に０時から２３時までの毎時間、表１および図２に示すような需要量（都市ガス需要、ローリー出荷量）が必要とされるものとする。なお、表１および図２に示す需要量は、各時間内における合計需要量を表している。
【００６４】
ここで図２に示すように、ローリー出荷量は、６時、１１時および１８時に３３ｔで最大値をとっており、出荷用タンク８が備えられていない従来のＬＮＧ基地では、例えば出荷前後に要するローリー１８とＬＮＧ払出部７との配管接続作業に要する時間などを考慮すると、少なくとも送出ポンプ９の送出能力が４５ｔ／ｈ必要とされる。
これに対して、本実施例では、送出ポンプ９の送出能力を１５ｔ／ｈとした。この送出能力は、都市ガス需要のピーク時（６時から８時、１８時から２０時）の需要量に基づいて設定し、この需要量と同等のものとした。
【００６５】
また表１に示すように、本実施例では、０時において、ガスホルダ６内の都市ガスの有効残量を２６ｔとし、出荷用タンク８の有効残量を１７ｔとした。
なお本実施例では、このようにガスホルダ６内の都市ガスの有効残量が２６ｔの場合には、ガスホルダ６内の圧力は０．７９ＭＰａになっている。この圧力が０．４０ＭＰａ（所定圧力）以下になると、ガスホルダ６内の圧力を利用して都市ガスを前記所定地域に圧送できなくなる。
【００６６】
次に、本実施例における運用方法を、表１に基づいて説明する。
【００６７】
表１に示すように、本実施例では、ＬＮＧ出荷時以外の時間帯、すなわち０時から５時、７時から１０時、１２時から１７時、１９時から２３時には、必要に応じて、前記補充工程を行ってガスホルダ６に都市ガスを補充する（「都市ガス製造部への送出（ｔ）」の行）とともに、前記貯蔵工程を行って出荷用タンク８にＬＮＧを貯蔵する（「出荷用タンクへの送出（ｔ）」の行）。このとき、送出ポンプ９の前記余剰能力を利用して、出荷用タンク８にＬＮＧを貯蔵する。
【００６８】
一方、ＬＮＧ出荷時、すなわち６時、１１時、１８時には、前記払出工程を行う。このとき、出荷用タンク８に貯蔵されたＬＮＧをローリー１８に払い出しながら、貯蔵タンク２に貯蔵されたＬＮＧを出荷用タンク８に供給する。なお本実施例では、貯蔵タンク２から都市ガス製造部５へのＬＮＧの送出を停止した上で、送出ポンプ９の送出能力の全体（１５ｔ／ｈ）を利用して、貯蔵タンク２に貯蔵されたＬＮＧをローリー１８に払い出している。
【００６９】
次に、本実施例における運用結果を、表１、並びに図３および図４に示すグラフに基づいて説明する。
なお図３に示すグラフでは、横軸が時間を示し、縦軸がガスホルダ６内の圧力（ＭＰａ）を示している。また図４に示すグラフでは、横軸が時間を示し、縦軸が出荷用タンク８内の有効残量（ｔ）を示している。なお、ガスホルダ６内の圧力、および出荷用タンク８内の有効残量は、各時間の開始時における値を表している。
【００７０】
図３に示すように、本実施例では、ガスホルダ６内の圧力が０．４０ＭＰａ（所定圧力）より大きい圧力で維持されている。これにより、ガスホルダ６内の圧力を利用して都市ガスを前記所定地域に圧送し続けられることが確認された。
また図４に示すように、本実施例では、出荷用タンク８内の有効残量が０ｔより大きい残量で維持されている。これにより、ローリー１８に出荷量を満たすＬＮＧが払い出し続けられることが確認された。
【００７１】
以上より、前記実施形態に係るＬＮＧ基地１では、送出能力が低く抑えられた送出ポンプ９により、ガスホルダ６への都市ガスの補充およびローリー１８へのＬＮＧの払出しを不足なく実施できることが確認された。
【００７２】
なお、ＬＮＧ基地１が、ガスホルダ６を備えていないＬＮＧ基地に本願発明を適用した場合において、前記実施例と同様の運用条件を前提として運用すると、従来の出荷用タンク８を備えていないＬＮＧ基地では、送出ポンプ９の送出能力が６０ｔ／ｈ必要とされるところ、本願発明のように出荷用タンク８を備えているＬＮＧ基地では、前記送出能力が３０ｔ／ｈで済むことが確認された。
【符号の説明】
【００７３】
１  ＬＮＧ基地（ＬＮＧ処理設備）
２  貯蔵タンク
３  送出管部
４ａ  第１分岐管部
４ｂ  第２分岐管部
５  都市ガス製造部
７  ＬＮＧ払出部
８  出荷用タンク
８ａ  気相部
８ｂ  液相部
９  送出ポンプ
１３  気化装置
１４  ガス流通管部
１５  気相接続管部
１６  第３流量調整弁（開閉弁）
１７  液相接続管部
１８  ローリー（出荷手段）
【図１】
2012167780.tif 000004
【図２】
2012167780.tif 000005
【図３】
2012167780.tif 000006
【図４】
2012167780.tif 000007
【図５】
2012167780.tif 000008